(57)【要約】      （修正有）【課題】不測の事態におけるカバーの開きを抑制して、カバーがコネクタハウジングから離脱する危険性を少なくするカバー付コネクタを提供する。【解決手段】カバー２０の電線導出部２９に近い両外側面にはそれぞれ、コネクタハウジング１０の側壁１９に対向するように、カバー開き防止突部２５が突設されている。カバー開き防止突部２５は、電線導出部２９側に進むにつれて、対向する側壁１９に徐々に近づくように傾斜している。このような構成において、カバー２０の電線導出部２９近傍に外側に開く力が作用した時には、カバー開き防止突部２５が側壁１９に当接する。防止突起２５と側壁１９とが当接すると、カバー２０の開きが抑制され、係止突起部２１と係合部１１との係合具合が緩むのも抑制することができる。したがって、カバー２０がコネクタハウジング１０から離脱しにくくなる。【選択図】図１
2006294358.tif 000002
【特許請求の範囲】
【請求項１】
電線付の端子を収容するコネクタハウジングと、
前記コネクタハウジングの前記電線が引き出される側に立設された側壁と、
前記側壁の内側に沿うようにして、前記コネクタハウジングに取り付けられ、前記電線を案内しつつ外部に導出させるカバーと、
前記カバーを前記コネクタハウジングに固定するために、前記カバーに設けられた係止突起部と、
前記係止突起部に係合するように、前記コネクタハウジングに設けられた係合部と、
を有するカバー付コネクタであって、
前記カバーの電線導出部側が開くことによって、前記係止突起部と前記係合部との係合具合が緩むのを防止するために、前記側壁に対向する前記カバーの前記外側面に設けられたカバー開き防止突部、
を有することを特徴とするカバー付コネクタ。
【請求項２】
請求項１記載のカバー付コネクタにおいて、
前記カバー開き防止突部は、前記係止突起部及び前記係合部よりも、前記電線導出部に近接して設けられている、
ことを特徴とするカバー付コネクタ。
【請求項３】
請求項２記載のカバー付コネクタにおいて、
前記カバー開き防止突部は、前記電線導出部側に進むにつれて対向する前記側壁に徐々に近づくように傾斜している、
ことを特徴とするカバー付コネクタ。
【請求項４】
請求項３記載のカバー付コネクタにおいて、
前記カバー開き防止突部と前記係止突起部の間には、前記カバーを前記コネクタハウジングから離脱させるための治具を挿入するための、治具挿入口が形成されている、
ことを特徴とするカバー付コネクタ。
【発明の詳細な説明】
【技術分野】
【０００１】
本発明は、カバー付コネクタ、すなわち、電線付の端子を収容するコネクタハウジングと、コネクタハウジングに取り付けられて電線を案内しつつ外部に導出させるカバーと、を有するカバー付コネクタに関する。
【背景技術】
【０００２】
電線付の端子を収容するコネクタハウジングと、コネクタハウジングに取り付けられて電線を案内しつつ外部に導出させるカバーと、を有するカバー付コネクタが知られている。この種のカバー付コネクタは、更に、コネクタハウジングに回動可能に取り付けられたレバーを備えているものもある。
【０００３】
図７は、この種のカバー付コネクタを示す斜視図である。図８は、図７のカバー付コネクタに電線が取り付けられた状態を示す側面図である。図９は、図７のカバー付コネクタにおけるカバーの背面図である。なお、図７〜図９に示すコネクタは、本発明のカバー付コネクタの特徴をより明確に理解するために例示したものであり、公知のコネクタではない。
【０００４】
図７に示すように、この種のカバー付コネクタは、電線が接続された端子が装着されるコネクタハウジング１０′、コネクタハウジング１０′に取り付けられて電線を案内しつつ外部に導出させるカバー２０′、及びコネクタハウジング１０′に回動可能に取り付けられたレバー３０′を有して構成される。
【０００５】
このコネクタハウジング１０′には、カバー２０′が図中矢印Ａ２０で示す方向から取り付けられる。また、相手コネクタ（不図示）が図中矢印Ａ１０で示す方向から嵌合されるが、このときには、相手コネクタに設けられたガイドピン（不図示）が、レバー３０′のガイド孔３１にはめ込まれて、図中矢印Ａ３０方向へのレバー３０′の回動に伴ってガイドピンが上方に引き上げられて、相手コネクタがコネクタハウジング１０′に嵌合される。このレバー３０′の回動に伴って、カバー２０′もレバー３０′によって、図中矢印Ａ２０で示す方向から押し込まれるようにして、コネクタハウジング１０′に取り付けられる。
【０００６】
コネクタハウジング１０′の上面には、複数のキャビティ１３、１４が設けられている。また、コネクタハウジング１０′の基部（上部）周縁には、側壁１９が立設されている。
【０００７】
側壁１９の長手方向のやや内側には、カバー２０′側に設けられた係止突起部２１に係合するように、複数の係合部１１が立設されている。係合部１１は、外側から内側に向けて係止突起部２１を受けるような形状になっている。係合部１１の形状及び数もまた、係止突起部２１に対応するものである。
【０００８】
また、コネクタハウジング１０′の両側面の取り付け面１５には、レバー３０′の回動軸１６及びガイド溝１８が設けられている。レバー３０′には、ガイド孔３１、回動孔３６、その他窪み３２が設けられている。レバー３０′は、コネクタハウジング１０′の回動軸１６に中心部が差し込まれて、この回動軸１６を中心に回動可能である。
【０００９】
カバー２０′は、図７〜図９に示すように、上記コネクタハウジング１０′の側壁１９の内側に沿うようにして取り付けられるような形状になっている。カバー２０′は、コネクタハウジング１０′の基部に取り付けられて、電線４を案内し、電線導出部２９から外部に導出させる。
【００１０】
カバー２０′の背面には、このカバー２０′をコネクタハウジング１０′に固定するための複数の係止突起部２１が設けられている。係止突起部２１は、外側から内側に向けて係合部１１に係合するような爪状をし、対向するように２対立設されている。カバー２０′の両側面には、複数のリブ２２がそれぞれ突設されている。
【００１１】
また、カバー２０′の上面には、レバー３０′の係合部（不図示）と係合するためのレバー係止部２４が設けられている。このレバー係止部２４を挟むように補強部２３が立設され、レバー係止部２４の可撓性を確保するためにレバー係止部２４の一部を囲むようにコ字状のスリット２７も設けられている。レバー係止部２４の背面には、レバー係止部２４の補強用のリブ２８も形成されている。
【００１２】
なお、この出願の発明に関連する先行技術文献情報としては次のものがある。
【特許文献１】特開２００３−２７２７６８号公報
【発明の開示】
【発明が解決しようとする課題】
【００１３】
このような構成のカバー付コネクタにおいて、コネクタハウジング１０′とカバー２０′とは、基本的に、４組の係止突起部２１と係合部１１とが係合して、固持されている。ところが、運用時等において、図８の矢印Ｂ１で示す方向、すなわち、カバー２０′の離脱方向に、電線４が引っ張られることがある。カバー２０′の電線の電線導出部２９は、当然、開口しているので、そうすると、この電線導出部２９近傍が、図９の矢印Ｂ２で示す方向に、外側に開くことになる。矢印Ｂ２で示すように、この電線導出部２９近傍が外側に開くと、外側から内側に係合している係止突起部２１もまた、図９の矢印Ｂ２１で示す方向に変移すため、係止突起部２１と係合部１１との係合具合が緩むことになる。すなわち、上記カバー付コネクタでは、矢印Ｂ１で示す方向の力が加わると、その結果、カバー２０′とコネクタハウジング１０′との係合が外れてしまう可能性がある。
【００１４】
よって本発明は、上述した現状に鑑み、カバー付コネクタにおいて、不測の事態におけるカバーの開きを抑制して、カバーがコネクタハウジングから離脱することを防止するカバー付コネクタを提供することを課題としている。
【課題を解決するための手段】
【００１５】
上記課題を解決するためになされた請求項１記載のカバー付コネクタは、電線付の端子を収容するコネクタハウジングと、前記コネクタハウジングの前記電線が引き出される側に立設された側壁と、前記側壁の内側に沿うようにして、前記コネクタハウジングに取り付けられ、前記電線を案内しつつ外部に導出させるカバーと、前記カバーを前記コネクタハウジングに固定するために、前記カバーに設けられた係止突起部と、前記係止突起部に係合するように、前記コネクタハウジングに設けられた係合部と、を有するカバー付コネクタであって、前記カバーの電線導出部側が開くことによって、前記係止突起部と前記係合部との係合具合が緩むのを防止するために、前記側壁に対向する前記カバーの前記外側面に設けられたカバー開き防止突部、を有することを特徴とする。
【００１６】
請求項１記載の発明によれば、電線を案内しつつ外部に導出させるカバーが、コネクタハウジングの電線が引き出される側に立設された側壁の内側に沿うようにして、コネクタハウジングに取り付けられる。このとき、カバーに設けられた係止突起部が、コネクタハウジングに設けられた係合部に係合することにより、カバーがコネクタハウジングに固定される。この固定後には、コネクタハウジングの側壁に対向するカバーの外側面に設けられたカバー開き防止突部により、カバーの電線導出部側が開くことによって、係止突起部と係合部との係合具合が緩むのが防止される。
【００１７】
上記課題を解決するためになされた請求項２記載のカバー付コネクタは、請求項１記載のカバー付コネクタにおいて、前記カバー開き防止突部は、前記係止突起部及び前記係合部よりも、前記電線導出部に近接して設けられている、ことを特徴とする。
【００１８】
請求項２記載の発明によれば、カバー開き防止突部は係止突起部及び係合部よりも、電線導出部に近接して設けられているので、カバーの電線導出部側が開きにくくなる。
【００１９】
上記課題を解決するためになされた請求項３記載のカバー付コネクタは、請求項２記載のカバー付コネクタにおいて、前記カバー開き防止突部は、前記電線導出部側に進むにつれて対向する前記側壁に徐々に近づくように傾斜している、ことを特徴とする。
【００２０】
請求項３記載の発明によれば、カバー開き防止突部は、電線導出部側に進むにつれて対向する側壁に徐々に近づくように傾斜しているので、すなわち、カバー開き防止突部の頂点は電線導出部側にできるだけ近づくようになっているので、カバー開き防止突部が電線導出部側により近接したのと等価になり、カバーが一層開きにくくなる。
【００２１】
上記課題を解決するためになされた請求項４記載のカバー付コネクタは、請求項３記載のカバー付コネクタにおいて、前記カバー開き防止突部と前記係止突起部の間には、前記カバーを前記コネクタハウジングから離脱させるための治具を挿入するための、治具挿入口（２６）が形成されている、ことを特徴とする。
【００２２】
請求項４記載の発明によれば、カバー開き防止突部と係止突起部の間に、カバーをコネクタハウジングから離脱させるための治具を挿入するための治具挿入口が形成されているので、この治具挿入口に治具を挿入しても、カバー開き防止突部には大きな力は作用しない。
【発明の効果】
【００２３】
請求項１記載の発明によれば、電線を案内しつつ外部に導出させるカバーが、コネクタハウジングの電線が引き出される側に立設された側壁の内側に沿うようにして、コネクタハウジングに取り付けられる。このとき、カバーに設けられた係止突起部が、コネクタハウジングに設けられた係合部に係合することにより、カバーがコネクタハウジングに固定される。この固定後には、コネクタハウジングの側壁に対向するカバーの外側面に設けられたカバー開き防止突部により、カバーの電線導出部側が開くことによって、係止突起部と係合部との係合具合が緩むのが防止される。したがって、カバーから外部に導出された電線対して、好ましくない方向に力が加ってもカバーの電線導出部側が開きにくくなるため、カバーがコネクタハウジングから離脱しにくくなる。
【００２４】
請求項２記載の発明によれば、カバー開き防止突部は係止突起部及び係合部よりも、電線導出部に近接して設けられているので、カバーの電線導出部側が開きにくくなる。したがって、カバーから外部に導出された電線に対して、好ましくない方向に力が加っても、カバーはコネクタハウジングからより一層離脱しにくくなる。
【００２５】
請求項３記載の発明によれば、カバー開き防止突部は、電線導出部側に進むにつれて対向する側壁に徐々に近づくように傾斜しているので、すなわち、カバー開き防止突部の頂点は電線導出部側にできるだけ近づくようになっているので、カバー開き防止突部が電線導出部側により近接したのと等価になり、カバーが一層開きにくくなる。したがって、カバーから外部に導出された電線に対して、好ましくない方向に力が加ってもカバーの電線導出部側がより開きにくくなるため、カバーはコネクタハウジングからより一層離脱しにくくなる。
【００２６】
請求項４記載の発明によれば、カバー開き防止突部と係止突起部の間に、カバーをコネクタハウジングから離脱させるための治具を挿入するための治具挿入口が形成されている。したがって、この治具挿入口に治具を挿入しても、カバー開き防止突部には大きな力は作用しないので、カバーをコネクタハウジングから容易に離脱させることができる。
【発明を実施するための最良の形態】
【００２７】
以下、本発明の実施の形態を図面に基づいて説明する。図１は、本発明の一実施形態に係るカバー付コネクタを示す斜視図である。図２は、図１中のコネクタハウジングを示す斜視図である。図３は、図１中のカバーを下方からみた場合の斜視図である。図４は、図１中のカバーの側面図である。図５は、図１中のカバーの背面図である。
【００２８】
図１に示すように、この実施形態に係るカバー付コネクタは、電線付の端子を収容するコネクタハウジング１０、コネクタハウジング１０に取り付けられて電線を案内しつつ外部に導出させるカバー２０、及びコネクタハウジング１０に回動可能に取り付けられたレバー３０を有して構成される。コネクタハウジング１０、カバー２０及びレバー３０は共に、例えば、ＰＢＴ（ポリブチレンテレフタート）等の樹脂で構成される。
【００２９】
すなわち、このコネクタハウジング１０には、カバー２０が図中矢印Ａ２０で示す方向から取り付けられる。また、相手コネクタ（不図示）が図中矢印Ａ１０で示す方向から嵌合されるが、このときには、相手コネクタに設けられたガイドピン（不図示）が、レバー３０のガイド孔３１にはめ込まれて、図中矢印Ａ３０方向へのレバー３０の回動に伴ってガイドピンが上方に引き上げられて、相手コネクタがコネクタハウジング１０に嵌合される。
【００３０】
コネクタハウジング１０は、図１及び図２に示すように、基本的に箱型をしている。その上面である基部には、電線が接続された端子が収容される円筒状の複数のキャビティ１３及び円状のキャビティ１４が設けられている。各キャビティ１３には比較的太めの電線がそれぞれ導出され、各キャビティ１４には比較的細めの電線がそれぞれ導出される。また、コネクタハウジング１０の基部（上部）周縁には、側壁１９が立設されている。側壁１９は、コネクタハウジング１０の側面に連設されているため、この側面の一部であるともいえる。互いに対向する長手方向の側壁１９には、切り欠かれてスリット１２が形成されている。
【００３１】
側壁１９の長手方向のやや内側には、カバー２０側に設けられた係止突起部２１に係合するように、複数の係合部１１が立設されている。係合部１１は、外側から内側に向けて係止突起部２１を受けるような形状になっている。係合部１１の形状及び数は、係止突起部に対応するものである。
【００３２】
また、コネクタハウジング１０の両側面は、回動するレバー３０の取り付け面１５にもなっている（図１、図２では片側面のみ記載）。取り付け面１５には、レバー３０の回動軸１６及びガイド溝１８が設けられている。
【００３３】
一方、カバー２０は、図１及び図３〜図５に示すように、電線が導出される電線導出部２９及び取り付け面である下面が開口した細長いドーム状をしている。カバー２０は、上記コネクタハウジング１０の側壁１９の内側に沿うようにして取り付けられるような形状になっている。カバー２０は、コネクタハウジング１０の基部に取り付けられて、電線を案内し、電線導出部２９から外部に導出させる。
【００３４】
カバー２０の背面には、このカバー２０をコネクタハウジング１０に固定するために、係止突起部２１が設けられている。係止突起部２１は、外側から内側に向けて係合部１１に係合するような爪状をし、対向するように２対立設されている。
【００３５】
カバー２０の両側面には、このカバー２０の図１中矢印Ａ２０で示すような取り付け方向と平行に延びるように、複数のリブ２２がそれぞれ突設されている。カバー２０の両側面にはまた、カバー２０が外側に開くことによって、係止突起部２１と係合部１１との係合具合が緩むのを防止するために、側壁１９に対向するように、カバー開き防止突部２５がそれぞれ設けられている。カバー開き防止突部２５は、電線導出部２９側に進むにつれて対向する側壁１９に徐々に近づくように傾斜している（図６を用いて後で詳述する）。すなわち、カバー開き防止突部２５は、電線導出部２９側を頂点とする傾斜状になっている。
【００３６】
カバー開き防止突部２５は、電線導出部２９に近い側の対になった係止突起部２１及び係合部１１よりも電線導出部２９に近接して一対設けられている。このため、カバー２０が外側に開きにくくなる。したがって、カバー２０から外部に導出された電線に、好ましくない方向に力が加ってもカバーの電線導出部側下部が開きにくくなるため、カバー２０はより確実にコネクタハウジング１０に固持される。
【００３７】
また、カバー開き防止突部２５に隣接して、カバー２０をコネクタハウジング１０から離脱させるための治具を挿入するための、治具挿入口２６が形成されている。この治具挿入口２６は、カバー開き防止突部２５の最低部側のカバー２０の下部が切り欠かれて形成されている。したがって、この治具挿入口２６に治具を挿入して、係止突起部２１と係合部１１との係合を解除するために、外側に力を加えても、カバー開き防止突部２５には大きな力は作用しないので、カバー２０をコネクタハウジング１０から容易に離脱させることができる。
【００３８】
また、カバー２０の上面には、レバー３０の係合部（不図示）と係合するためのレバー係止部２４が設けられている。このレバー係止部２４を挟むように補強部２３が立設され、レバー係止部２４の可撓性を確保するためにレバー係止部２４の一部を囲むようにコ字状のスリット２７（特に、図５参照）も設けられている。更に、レバー係止部２４の背面には、レバー係止部２４の補強用のリブ２８も形成されている（特に、図５参照）。開口した電線導出部２９に対向する側は、電線を緩やかに曲げるために、電線の剛性が考慮されて湾曲している。
【００３９】
なお、上記コネクタハウジング１０の両取り付け面１５を両側から挟み込むように、ハウジング１０に回動可能にレバー３０が取り付けらている。レバー３０には、中心部に回動孔３６、この回動孔３６を囲むように、相手コネクタのガイドピンを案内するためのガイド孔３１、その他窪み３２が設けられている。レバー３０は、コネクタハウジング１０の回動軸１６に中心部が差し込まれて、この回動軸１６を中心に回動可能である。レバー３０の上部３８裏側には、レバー係止部２４に係合する係合部（不図示）も設けられている。
【００４０】
このような構成において、本カバー付コネクタの組み立て方法に係る基本作用を図１を用いて簡単に説明する。まず、カバー２０が、コネクタハウジング１０の側壁１９の内側に沿うようにして、図中矢印Ａ２０で示す方向からコネクタハウジング１０の基部に取り付けられる。このとき、カバー２０側の係止突起部２１がコネクタハウジング１０側の係合部１１に係合する。次に、相手コネクタ（不図示）が図中矢印Ａ１０で示す方向からコネクタハウジング１０の下部に嵌合される。この後、相手コネクタに設けられたガイドピン（不図示）が、レバー３０のガイド孔３１にはめ込まれて、図中矢印Ａ３０方向へのレバー３０の回動に伴ってガイドピンが上方に引き上げられて、相手コネクタがコネクタハウジング１０に嵌合される。そして、レバー３０の上部３８裏側の係合部（不図示）が、カバー２０のレバー係止部２４に係合すると、コネクタハウジング１０と相手コネクタとの嵌合が完了する。
【００４１】
続いて、図６を用いてカバー付コネクタの作用及び効果について追加説明する。図６（Ａ）は、図２に示したコネクタハウジングにカバーを取り付けた状態における横断面図であり、図６（Ｂ）は、図６（Ａ）中のＹ部拡大図である。なお、図６中、上記図１〜図５と共通する部分には、同一の符号を付し、重複する説明は省略する。
【００４２】
図６（Ａ）及び図６（Ｂ）に示すように、カバー２０の電線導出部２９に近い両外側面にはそれぞれ、側壁１９に対向するように、カバー開き防止突部２５が突設されている。詳しくは、カバー開き防止突部２５は、電線導出部２９側（図中Ｘで示す方向）に進むにつれて、対向する側壁１９に徐々に近づくように傾斜している。すなわち、カバー開き防止突部２５は、電線導出部２９側を頂点２５ｂとする傾斜部２５ａを有している。
【００４３】
このような構成によって、図８を用いて説明したように、カバーの離脱方向に電線が引っ張られてカバー２０の電線導出部２９近傍に外側に開く力が作用した時には、カバー開き防止突部２５は、図６（Ｂ）中、矢印Ｂ２５で示す方向に変移して側壁１９とが当接する。防止突起２５と側壁１９とが当接すると、図９の矢印Ｂ２で示す方向に作用する力が弱まるため、カバー２０の開きが抑制され、上述した係止突起部２１と係合部１１との係合具合が緩むのも抑制することができる。したがって、カバー２０の離脱方向に電線が引っ張られても、カバー２０がコネクタハウジング１０から離脱しにくくなる。
【００４４】
また、カバー開き防止突部２５は、電線導出部２９に近い側の係止突起部や係合部よりも電線導出部２９に近接して設けられているので、カバーの下部が外側により開きにくくなるため、カバー２０が一層コネクタハウジングから離脱しにくくなる。
【００４５】
更に、カバー開き防止突部２５に対向する側壁１９も、電線導出部２９側（図中Ｘで示す方向）に進むにつれて、カバー開き防止突部２５に近づくようになだらかなＲ形状になっている。このため、カバー開き防止突部２５と側壁１９との距離を最短に設定できるので、カバー２０の開き抑制効果がより顕著になる。
【００４６】
以上説明したように、本発明の実施形態によれば、カバー２０から外部に導出された電線に対して、好ましくない方向に力が加ってカバー２０の下部が外側に開いたとしても、カバー開き防止突部２５によってカバーの開きが抑制されて、カバー２０がコネクタハウジング１０から離脱しにくくなる。特に、カバー開き防止突部２５は対になって設けられているので、より効果的にカバーの開きを抑制することができる。
【００４７】
なお、上記実施形態ではレバーを有するカバー付コネクタを例示したが、本発明には必ずしもレバーは必要とならない。すなわち、本発明は、レバーを有することのないカバー付コネクタも含むものである。
【図面の簡単な説明】
【００４８】
【図１】本発明の一実施形態に係るカバー付コネクタを示す斜視図である。
【図２】図１中のコネクタハウジングを示す斜視図である。
【図３】図１中のカバーを下方からみた場合の斜視図である。
【図４】図１中のカバーの側面図である。
【図５】図１中のカバーの背面図である。
【図６】図６（Ａ）は、図２に示したコネクタハウジングにカバーを取り付けた状態における横断面図であり、図６（Ｂ）は、図６（Ａ）中のＹ部拡大図である。
【図７】この種のカバー付コネクタを示す斜視図である。
【図８】図７のカバー付コネクタに電線が取り付けられた状態を示す側面図である。
【図９】図７のカバー付コネクタにおけるカバーの背面図である。
【符号の説明】
【００４９】
１０  コネクタハウジング
２０  カバー
２５  カバー開き防止突部
２６  治具挿入口
３０  レバー
【図１】
2006294358.tif 000003
【図２】
2006294358.tif 000004
【図３】
2006294358.tif 000005
【図４】
2006294358.tif 000006
【図５】
2006294358.tif 000007
【図６】
2006294358.tif 000008
【図７】
2006294358.tif 000009
【図８】
2006294358.tif 000010
【図９】
2006294358.tif 000011